(57)【要約】【課題】複数の無線アクセス技術（Ｒａｄｉｏ  Ａｃｃｅｓｓ  Ｔｅｃｈｎｏｌｏｇｉｅｓ（ＲＡＴ））をサポートするとともに、種々のＲＡＴ能力および嗜好を有するユーザ機器（Ｕｓｅｒ  Ｅｑｕｉｐｍｅｎｔｓ（ＵＥ））にサービスを提供する異種ネットワークにおいて、配信サービスを送信する方法。【解決手段】方法は、各配信セッションの開始前に、配信サービスに関心があるユーザ機器（ＵＥ）の数を決定するために、ユーザ機器（ＵＥ）をカウントするステップと、異種ネットワークが、スペクトル（周波数）の使用を最適化する特定のＲＡＴまたは複数の選択されたＲＡＴでサービスを配信できるようにするために、無線アクセス技術（ＲＡＴ）に関するユーザ機器の能力／嗜好を収集するステップとを含む。【選択図】図２
2013506314.tif 000002
【特許請求の範囲】
【請求項１】
複数の無線アクセス技術（Ｒａｄｉｏ  Ａｃｃｅｓｓ  Ｔｅｃｈｎｏｌｏｇｉｅｓ（ＲＡＴ））をサポートし、種々のＲＡＴ能力および嗜好を有するユーザ機器（Ｕｓｅｒ  Ｅｑｕｉｐｍｅｎｔｓ（ＵＥ））（４）にサービスを提供する異種ネットワーク（２）における配信サービスを送信する方法であって、
各配信セッションの開始前に、配信サービスに関心があるユーザ機器（ＵＥ）（４）の数を決定するために、ユーザ機器（ＵＥ）をカウントする（８）ステップと、
異種ネットワーク（２）が、異種ネットワーク（２）の資源の使用を最適化する特定のＲＡＴまたは選択されたＲＡＴでサービスを配信できるようにするために、無線アクセス技術（ＲＡＴ）に関するユーザ機器（ＵＥ）の能力／嗜好を収集するステップとを含む方法。
【請求項２】
異種ネットワーク（２）のゲートウェイ（６）が、ユーザ機器（ＵＥ）（４）に送信するカウント信号を用いてカウンティングを実行する請求項１に記載の方法。
【請求項３】
全てのＵＥ（４）によってアクセス可能であってカウント用に設計されたアウトバンドチャネルを介してカウント信号を送信する請求項１に記載の方法。
【請求項４】
異種ネットワーク（２）の複数のＲＡＴの１つが有する、全てのユーザ機器（ＵＥ）（４）によってサポートされるチャネルを介してカウント信号を送信する請求項１に記載の方法。
【請求項５】
アウトバンドチャネルがＣＰＣ（コグニティブ・パイロット・チャネル）である請求項３に記載の方法。
【請求項６】
ユーザ機器（ＵＥ）（４）が、異なるユーザ機器（ＵＥ）（４）の応答間の衝突および過負荷を避けるために、アップリンク信号を所定の確率で適宜異種ネットワーク（２）に送信する請求項３に記載の方法。
【請求項７】
異種ネットワーク（２）が、応答の数と前記所定の確率とを組み合わせることによって、提示するサービスの受信に関心があるユーザ機器（ＵＥ）（４）の数を推定する請求項６に記載の方法。
【請求項８】
異種ネットワーク（２）が、提示するサービスを特定のＲＡＴで受信することに関心があるユーザ機器の数が所定のしきい値を越えている場合に、当該提示するサービスをその特定のＲＡＴで配信する請求項７に記載の方法。
【請求項９】
複数の無線アクセス技術（Ｒａｄｉｏ  Ａｃｃｅｓｓ  Ｔｅｃｈｎｏｌｏｇｉｅｓ（ＲＡＴ））をサポートし、種々のＲＡＴ能力および嗜好を有するユーザ機器（ＵＥ）（４）に配信サービスを送信する異種ネットワーク（２）におけるゲートウェイであって、
各配信セッションの開始前に、配信サービスの受信に関心があるユーザ機器（ＵＥ）（４）の数を決定するためにユーザ機器（ＵＥ）（４）をカウントする手段と、
異種ネットワーク（２）が、異種ネットワーク（２）の資源の使用を最適化する特定のＲＡＴまたは選択されたＲＡＴでサービスを配信できるようにするために、無線アクセス技術（ＲＡＴ）に関するユーザ機器（ＵＥ）の能力／嗜好を収集する手段とを備えたことを特徴とするゲートウェイ。
【請求項１０】
複数の無線アクセス技術（Ｒａｄｉｏ  Ａｃｃｅｓｓ  Ｔｅｃｈｎｏｌｏｇｉｅｓ（ＲＡＴ））をサポートする異種ネットワーク（２）によって配信されるサービスを受信するための種々のＲＡＴ能力および嗜好を有するユーザ機器（４）であって、
異なるユーザ機器の応答間の衝突および過負荷を避けるために、所定の確率で適宜アップリンク信号を生成する手段と、
異種ネットワーク（２）が、異種ネットワーク（２）の資源を最適化する特定のＲＡＴまたは複数の選択されたＲＡＴでサービスを配信できるようにするために、アップリンク信号を能力および嗜好とともに異種ネットワーク（２）に送信する手段とを備えることを特徴とするユーザ機器。
【発明の詳細な説明】
【技術分野】
【０００１】
本発明は、電気通信分野に関し、複数の無線アクセス技術（Ｒａｄｉｏ  Ａｃｃｅｓｓ  Ｔｅｃｈｎｏｌｏｇｉｅｓ（ＲＡＴ））をサポートするとともに、種々のＲＡＴ能力および嗜好を有するユーザ機器（Ｕｓｅｒ  Ｅｑｕｉｐｍｅｎｔｓ（ＵＥ））にサービスを提供する異種ネットワークにおいて、配信サービスを送信する方法に関する。
【０００２】
本発明は、複数の無線アクセス技術（Ｒａｄｉｏ  Ａｃｃｅｓｓ  Ｔｅｃｈｎｏｌｏｇｉｅｓ（ＲＡＴ））をサポートし、種々のＲＡＴ能力および嗜好を有するユーザ機器（Ｕｓｅｒ  Ｅｑｕｉｐｍｅｎｔｓ（ＵＥ））にサービスを提供する異種ネットワークにおいて配信を行うゲートウェイにも関する。
【０００３】
本発明は、複数の無線アクセス技術（Ｒａｄｉｏ  Ａｃｃｅｓｓ  Ｔｅｃｈｎｏｌｏｇｉｅｓ（ＲＡＴ））をサポートする異種ネットワークにおいて配信サービスを受信するための種々のＲＡＴ能力および嗜好を有するユーザ機器（ＵＥ）にも関する。
【背景技術】
【０００４】
将来の異種ネットワークでの配信サービス送信の状況では、異種ネットワークが広範囲の無線アクセス技術を実装する可能性が非常に高く、またユーザ機器がこれらのＲＡＴの一部または全てに対応し、特定の嗜好を持つことが考えられる。このため、異種ネットワークは、スペクトル（周波数）の使用を最適化しつつ、配信サービスをどのＲＡＴで提供すべきかを決定することができないという技術的問題が生ずる。
【発明の概要】
【発明が解決しようとする課題】
【０００５】
本発明の目的は、配信サービスをどのＲＡＴで提供するかの異種ネットワークの決定を支援することである。
【０００６】
この目的は、複数の無線アクセス技術（Ｒａｄｉｏ  Ａｃｃｅｓｓ  Ｔｅｃｈｎｏｌｏｇｉｅｓ（ＲＡＴ））をサポートし、種々のＲＡＴ能力および嗜好を有するユーザ機器（Ｕｓｅｒ  Ｅｑｕｉｐｍｅｎｔｓ（ＵＥ））にサービスを提供する異種ネットワークにおいて、配信サービスを送信する方法によって達成される。
【課題を解決するための手段】
【０００７】
本発明による方法は、
各配信セッションの開始前に、配信サービスの受信に関心があるユーザ機器（ＵＥ）の数を決定するために、ユーザ機器（ＵＥ）をカウントするステップと、
異種ネットワークが、異種ネットワークの資源の使用を最適化する特定のＲＡＴまたは複数の選択されたＲＡＴでサービスを配信できるようにするために、無線アクセス技術（ＲＡＴ）に関するユーザ機器（ＵＥ）の能力／嗜好を収集するステップとを含む。
【０００８】
本発明の他の態様では、ユーザ機器は、異なるユーザ機器の応答間の衝突および過負荷を避けるために、アップリンク信号を所定の確率で、適宜、異種ネットワークに送信する。
【０００９】
異種ネットワークは、応答の数と前記確率とを組み合わせることによって、配信サービスの受信に関心があるユーザ機器の数を推定する。
【００１０】
そして、異種ネットワークは、特定のＲＡＴでサービスを受信することに関心があるユーザ機器の数が所定のしきい値を越えている場合に、その特定のＲＡＴでサービスを配信する。
【００１１】
例えば、少数のユーザ機器（ＵＥ）のみがそのサービスを特定のＲＡＴを通じて受信することに関心を持っている場合には、異種ネットワークは、配信を異なるＲＡＴに切り替えることを決定できる。基本的に、配信用に現在使用されているＲＡＴが再選択されるためには、提示するサービスの受信に関心があるＵＥの数が所定のしきい値よりも大きくなければならない。そうでなければ、提示するサービスは他のＲＡＴを通じてＵＥに配信される。これは、配信用に選択されたＲＡＴを示すブロードキャスト制御情報を送信することによって行われる。
【００１２】
本発明による方法は、
各配信セッションの開始前に、配信サービスの受信に関心があるユーザ機器（ＵＥ）の数を決定するために、ユーザ機器（ＵＥ）をカウントする手段と、
異種ネットワークが、スペクトル（周波数）の使用を最適化する特定のＲＡＴまたは複数の選択されたＲＡＴでサービスを配信できるようにするために、無線アクセス技術（ＲＡＴ）に関するユーザ機器（ＵＥ）の能力／嗜好を収集する手段とを備えたゲートウェイに適用される。
【００１３】
異種ネットワークによって配信されるサービスを受信するユーザ機器は、
異なるユーザ機器の応答間の衝突および過負荷を避けるために、アップリンク信号を所定の確率で適宜生成する手段と、
異種ネットワークが、スペクトル（周波数）の使用を最適化する特定のＲＡＴまたは複数の選択されたＲＡＴでサービスを配信できるようにするために、アップリンク信号を能力および嗜好とともに異種ネットワークに送信する手段とを備える。
【００１４】
上記の概要および以下の詳細な説明は、本発明の典型的な実施例を示す添付図を参照することによって、より理解されるであろう。
【図面の簡単な説明】
【００１５】
【図１】ユーザ機器（ＵＥ）に配信コンテンツを配信する、本発明による異種ネットワークを模式的に示す図である。
【図２】本発明にもとづく方法のステップを示すフローチャートである。
【発明を実施するための形態】
【００１６】
本発明は、複数の無線アクセス技術（Ｒａｄｉｏ  Ａｃｃｅｓｓ  Ｔｅｃｈｎｏｌｏｇｉｅｓ（ＲＡＴ））ＲＡＴ１、ＲＡＴ２、ＲＡＴ３、ＲＡＴ４をサポートする異種ネットワーク２から、配信サービスを受信するための種々のＲＡＴ能力および嗜好を有する複数のユーザ機器（ＵＥ）４に配信サービスが送信される状況において説明される。
【００１７】
サービスを配信する前に、異種ネットワーク２のゲートウェイ６は、どのＵＥが配信サービスの受信に興味があるかを知るため、カウント信号をＵＥ４に送信する（矢印８）。カウント信号は、異種ネットワーク２から、全てのＵＥ４によってアクセス可能であってカウント用に設計されたアウトバンドチャネルを介して送信されるか、または、異種ネットワークの複数のＲＡＴの１つが有する、全てのＵＥ４によってサポートされる異種ネットワーク２のチャネルの一つを介してＵＥ４に送信される。
【００１８】
アウトバンド・チャネルは、ＣＰＣ（コグニティブ・パイロット・チャネル）であることが好ましい。
【００１９】
カウント信号を受信すると、各ＵＥ４は、配信サービスの受信に関心があるかどうかを示す応答をゲートウェイ６に送信する（矢印１０）。
【００２０】
この目的を達成するために、各ＵＥ４は、カウント信号に応じてアップリンク信号を作成する手段と、ＲＡＴ能力および嗜好とともにアップリンク信号をゲートウェイ６に送信する手段とを備える。
【００２１】
衝突および過負荷を避けるために、各アップリンク信号は、異なる応答を区別できるような確率で適宜作成される。
【００２２】
ＵＥの応答を受信すると、ゲートウェイ６は応答の数と前記確率とを組み合わせることによって、配信サービスの受信に関心があるＵＥの数を推定する。
【００２３】
異種ネットワーク２は、最も多くのＵＥによって使用されるＲＡＴを用いてサービスを配信することを決定できる。基本的に、関心を持つＵＥの数が所定のしきい値を越えている場合には、異種ネットワーク２により現在使用されているＲＡＴが再選択される。そうでなければ、提示するサービスの配信は他のＲＡＴによって行われる。これは、配信のために選択されたＲＡＴを示すブロードキャスト制御情報を、ゲートウェイ６からＵＥ４に送信する（矢印１２）ことによって行われる。カウント信号と同様に、ブロードキャスト制御情報は、全てのユーザに共通のＲＡＴ、または全てのユーザがアクセス可能なアウトバンドチャネルにより送信される。
【００２４】
図２には、本発明の好適な実施例の主なステップが示されている。
【００２５】
ステップ２０において、異種ネットワーク２は、送信されてくるサービス、適用可能な技術および周波数をＵＥ４に公告する。
【００２６】
ステップ２２において、ゲートウェイ６は、送信されるサービスに対するＵＥの関心、そのサービスを受信する上で好ましい技術、あるいはさらに周波数を収集する。
【００２７】
ステップ２４において、ゲートウェイ６は、この技術を使用してサービスを受信することに関心があるＵＥの割合に応じて技術を分類する。
【００２８】
ステップ２６において、ゲートウェイ６は、関心を持ったＵＥの数が所定のしきい値Ｔを超えない技術を全て排除する。
【００２９】
ステップ２８において、ゲートウェイ６は、残りのＲＡＴおよび周波数を公告する。
【００３０】
ステップ３０において、異種ネットワーク２は、選択されたＲＡＴにＵＥ４が帰結するのを待ち、サービスの配信を開始する。
【図１】
2013506314.tif 000003
【図２】
2013506314.tif 000004
【国際調査報告】
2013506314.tif 000005
2013506314.tif 000006
2013506314.tif 000007